(57)【特許請求の範囲】
【請求項１】
画面に触れることでタッチ入力が可能なタッチパネルと、
該タッチパネルの画面上に設置されて、タッチパネルのタッチ入力機能を利用して実際の操作感が得られるようにした操作デバイスと、
タッチパネルへのタッチ入力、または、操作デバイスの操作に対して、通常の機能を発生させる制御部と、を備えた入力表示装置において、
前記制御部が、前記操作デバイスの操作と画面へのタッチ入力とが同時に行われた時に、操作デバイスを単独で操作した時の通常の機能とは異なる別の拡張機能を行わせるものとされたことを特徴とする入力表示装置。
【請求項２】
請求項１に記載の入力表示装置であって、
操作デバイスの操作と画面へのタッチ入力とを同時に行った時の拡張機能が、操作デバイスを単独で操作した時の通常の機能と、当該機能に関連する機能とを組み合わせて同時に行わせるようにしたものであることを特徴とする入力表示装置。
【請求項３】
請求項１または請求項２に記載の入力表示装置であって、
前記制御部が、前記操作デバイスの操作が行われた時に、画面へのタッチ入力によって拡張機能を行わせるための拡張機能用タッチ入力領域を、操作デバイスの周辺に発生させることを特徴とする入力表示装置。
【請求項４】
請求項１ないし請求項３のいずれか１項に記載の入力表示装置であって、
前記制御部が、操作デバイスへの接触を検知した時に、画面に操作案内を表示することを特徴とする入力表示装置。
【請求項５】
請求項１ないし請求項４のいずれか１項に記載の入力表示装置であって、
前記操作デバイスが、前記タッチパネルの画面上を、一方向に往復移動可能なスライド部材とされ、
前記操作デバイスの操作中の画面へのタッチ入力が、スライド部材の移動方向に沿ったスワイプであることを特徴とする入力表示装置。
【請求項６】
請求項１ないし請求項４のいずれか１項に記載の入力表示装置であって、
前記操作デバイスが、前記タッチパネルの画面上で円運動するダイヤルスイッチを有し、
前記操作デバイスの操作中の画面へのタッチ入力が、ダイヤルスイッチの円運動に沿ったスワイプであることを特徴とする入力表示装置。
【請求項７】
請求項１ないし請求項４のいずれか１項に記載の入力表示装置であって、
前記操作デバイスが、前記タッチパネルの画面上で直線的にスライドするスライドスイッチを有し、
前記操作デバイスの操作中の画面へのタッチ入力が、スライドスイッチのスライド方向に沿ったスワイプであることを特徴とする入力表示装置。
【請求項８】
請求項１ないし請求項４のいずれか１項に記載の入力表示装置であって、
前記操作デバイスが、前記タッチパネルの画面を押し込む押ボタンスイッチを有し、
前記操作デバイスの操作中の画面へのタッチ入力が、タップまたはスワイプであることを特徴とする入力表示装置。
【請求項９】
請求項１ないし請求項４のいずれか１項に記載の入力表示装置であって、
前記操作デバイスが、二方向への操作を行い得るように前記タッチパネルの画面を押し込むロッカースイッチまたはトグルスイッチを有し、
前記操作デバイスの操作中の画面へのタッチ入力が、タップであることを特徴とする入力表示装置。
【請求項１０】
請求項１ないし請求項４のいずれか１項に記載の入力表示装置であって、
前記操作デバイスが、多方向への操作を行い得るように前記タッチパネルの画面を押し込む十字スイッチまたはジョイスティックスイッチを有し、
前記操作デバイスの操作中の画面へのタッチ入力が、タップであることを特徴とする入力表示装置。
【発明の詳細な説明】
【技術分野】
【０００１】
この発明は、入力表示装置に関するものである。
【背景技術】
【０００２】
自動車などの車両には、車室内の前部にインストルメントパネルが設けられている。このインストルメントパネルの部分に対して、表示パネルを設けることが行われている。また、この表示パネルをタッチパネルとすることも行われている。更に、タッチパネルの画面上に操作デバイスを設置して、操作デバイスを操作することで、リアルな操作感が得られるようにすることも行われている（例えば、特許文献１参照）。
【先行技術文献】
【特許文献】
【０００３】
【特許文献１】特開２００４−３１７５８５号公報
【発明の概要】
【発明が解決しようとする課題】
【０００４】
上記した操作デバイスは基本的に単機能となっている。そして、タッチパネルの画面上に多くの操作デバイスを設置すると、画面の表示領域が狭くなったり、画面上が操作デバイスで雑然として取り扱いがし難くなったりする。そのため、画面上には、限られた数の単機能の操作デバイスのみを設置するようにしている。
【０００５】
よって、操作デバイスによって得られる機能は限られたものとなっていた。即ち、操作デバイスは、まだ十分に活用されていないのが現状であり、その操作性についてもまだ改善の余地がある。
【０００６】
そこで、本発明は、上記した問題点を解決することを、主な目的としている。
【課題を解決するための手段】
【０００７】
上記課題を解決するために、本発明は、
画面に触れることでタッチ入力が可能なタッチパネルと、
該タッチパネルの画面上に設置されて、タッチパネルのタッチ入力機能を利用して実際の操作感が得られるようにした操作デバイスと、
タッチパネルへのタッチ入力、または、操作デバイスの操作に対して、通常の機能を発生させる制御部と、を備えた入力表示装置において、
前記制御部が、前記操作デバイスの操作と画面へのタッチ入力とが同時に行われた時に、操作デバイスを単独で操作した時の通常の機能とは異なる別の拡張機能を行わせるものとされたことを特徴としている。
【発明の効果】
【０００８】
本発明によれば、上記構成によって、操作デバイスを多機能化して十分に活用することが可能となる。
【図面の簡単な説明】
【０００９】
【図１】本実施の形態の実施例にかかる入力表示装置の全体斜視図である。
【図２】図１の操作デバイスの機能を示す図であり、（ａ）は表示領域を上下同一にした場合、（ｂ）は表示領域を上下で変更した場合である。
【図３】図１の操作デバイスの拡大斜視図である。
【図４】図１の操作デバイスの横断面図である。
【図５】図１の操作デバイスを裏面側から見た斜視図である。
【図６】入力表示装置の制御系統図である。
【図７】入力表示装置の表示実施例である。
【図８】拡張機能の説明図である。
【図９】図８の変形例である。
【図１０】通常の機能を示す図である。
【図１１】図１０の後の通常の機能を示す図である。
【図１２】拡張機能用タッチ入力領域を示す斜視図である。
【図１３】拡張機能を実行するためのフローチャートである。
【図１４】操作案内を表示した状態を示す説明図である。
【図１５】操作案内を表示するためのフローチャートである。
【図１６】開口部の一方を拡張機能用タッチ入力領域とした例を示す斜視図である。
【図１７】開口部の他方を拡張機能用タッチ入力領域とした例を示す斜視図である。
【図１８】ダイヤルスイッチの例を示す斜視図である。
【図１９】スライドスイッチの例を示す斜視図である。
【図２０】押ボタンスイッチの例を示す斜視図（タップの場合）である。
【図２１】押ボタンスイッチの例を示す斜視図（スワイプの場合）である。
【図２２】ロッカースイッチの例を示す斜視図である。
【図２３】十字スイッチの例を示す斜視図である。
【発明を実施するための形態】
【００１０】
以下、本実施の形態を、図面を用いて詳細に説明する。
図１〜図２３は、この実施の形態を説明するためのものである。
【実施例１】
【００１１】
＜構成＞以下、この実施例の構成について説明する。
【００１２】
自動車などの車両には、車室内の前部にインストルメントパネルが設けられている。このインストルメントパネルの部分などに対して、図１（〜図５）に示すような表示パネル１を設ける。この表示パネル１を画面２（表示部）に触れることでタッチ入力が可能なタッチパネル３とする。更に、タッチパネル３の画面２上に、タッチパネル３のタッチ入力機能を利用して実際の操作感が得られるようにした操作デバイス４を設置して、操作デバイス４を操作することで、リアルな操作感が得られるようにする。
【００１３】
更に、図６に示すように、タッチパネル３へのタッチ入力、または、操作デバイス４の操作に対して、所定の機能（通常の機能）を発生させる制御部５を備えて入力表示装置６を構成する。
【００１４】
ここで、表示パネル１は、比較的大型（例えば、１０インチ程度以上）の画面２を有する液晶パネルや有機ＥＬパネルなどとされる。タッチパネル３は、表示パネル１の画面２の上にタッチセンサーパネル７を貼付けたものや画面２とタッチセンサーパネル７とを一体化に形成したものなどとされる。タッチパネル３は、マルチタッチが可能なものとされる。操作デバイス４には、各種のものを用いることができる。この場合には、操作デバイス４は、一方向に往復移動可能なスライド部材８とされている。
【００１５】
このスライド部材８は、縦長に配置されたタッチパネル３の左右の辺間を結んで、画面２の表示領域を上下に分割可能な横長のガイドバー１１とされており、図２（ａ）（ｂ）に示すように、ほぼ上下方向１２へ移動することで表示領域１３，１４の大きさを変更しつつ、現実的な操作感（操作実感）を得られるようになっている。但し、スライド部材８は、画面２を左右方向１５へ移動するような縦長のものとしても良い。スライド部材８には、必要に応じて、移動の際の手掛かりとなる操作用凸部１６などを設けることができる。
【００１６】
そして、図３に示すように、このスライド部材８の中央部には、操作デバイス４として回転操作することができるダイヤルスイッチ１７が取付けられている。このダイヤルスイッチ１７の中心部には、画面２に臨む円形の開口部１８が形成されている。更に、このダイヤルスイッチ１７の両側部には、画面２に臨む一対の開口部２１，２２が形成されている。これらの開口部１８、開口部２１，２２の内側には、それぞれソフトスイッチ２３となる表示（スイッチ表示）を行い得るようになっている。そして、開口部１８、開口部２１，２２を通してタッチパネル３のソフトスイッチ２３に触れることでタッチ操作が可能となっている。なお、タッチ操作が実行されるのは、ソフトスイッチ２３に触れた時よりも、ソフトスイッチ２３に触れた状態から指が離れた時にするのが機能的に好ましい。
【００１７】
この際、ソフトスイッチ２３と同時に開口部２１，２２の縁部を触ることで、現実的な操作感（操作実感）が得られることになる。なお、各開口部２１，２２に対して、ソフトスイッチ２３は単数または複数設けることができる。ソフトスイッチ２３を複数設ける場合、各ソフトスイッチ２３は、開口部２１，２２の縁部（辺部や角部など）に対して部分的に関係付けておくようにするのが好ましい。例えば、図の場合、ダイヤルスイッチ１７の両側部の一対の開口部２１，２２を四角形状にすることで、四角形状の開口部２１，２２の四つの辺部や四つの角部と対応する複数のソフトスイッチ２３を設定することができる。なお、開口部２１，２２の形状は、四角形状に限るのもではない。また、ダイヤルスイッチ１７の中央の円形状をした開口部１８に対しても同様に複数のソフトスイッチ２３を設定することもできる。
【００１８】
そして、図４、図５に示すように、スライド部材８の両側部には、必要に応じて、タッチパネル３の側部に沿って上下方向１２への移動を案内するためのスライドガイド部３１が設けられている。なお、スライドガイド部３１は、上記とは別にタッチパネル３とスライド部材８との間に設けても良い。更に、スライド部材８の裏面側には、スライド部材８の位置を検出するための導電性の接点部材３２が設けられている。この導電性の接点部材３２は、少なくとも１個設ければ良いが、誤検出を防止するために複数個設けるようにしても良い。同様に、ダイヤルスイッチ１７の裏面側には、ダイヤルスイッチ１７の回転変位を検出するための導電性の接点部材３３が設けられている。この導電性の接点部材３３は、少なくとも１個設ければ良いが、誤検出を防止するなどのために複数個設けるようにしても良い。
【００１９】
図６に示す制御部５は、上記した入力表示装置６をコンピュータとして機能させるものである。入力表示装置６の構成を示すものであり、制御部５と、出力装置としての画面２と、入力装置としてのタッチセンサーパネル７と、各種のソフトウェアやデータを記録したり、作業領域として使用したりするための記憶部３５（メモリー）と、を有している。なお、記憶部３５（メモリー）は、機能ごとに分けて別々に設けるようにしても良い。
【００２０】
この入力表示装置６は、例えば、カーナビシステム４１や、オーディオ装置４２や、インターネット端末４３などとしての機能を有するものとされる。更に、車両の空調装置４４を操作する機能を有するものとすることができる。また、車両に設けられた各種のセンサーや各種の電子ユニット間を接続している車両用ネットワーク４５（例えば、ＣＡＮシステムなど）に対して接続する機能を有するものとすることができる。なお、カーナビシステム４１やオーディオ装置４２などについては、車両に搭載されたものを使用するようにしても良い。
【００２１】
以上のような基本的な構成に対し、この実施例では、以下のような構成を備えるようにしている。
【００２２】
（１）上記制御部５が、図７、図８に示すように、上記操作デバイス４の操作（操作Ａ）と画面２へのタッチ入力（操作Ｂ）とが同時に行われた時に、操作デバイス４を単独で操作した時の通常の機能とは異なる別の拡張機能を行わせるものとされる。
【００２３】
ここで、図７は同時操作前の状態、図８は同時操作後の状態を示している。この場合には、親指Ｆ１と人差指Ｆ２とで操作デバイス４を移動し、同時に、中指Ｆ３で画面２へのタッチ入力（スワイプ）を行わせるようにしている。なお、図９に示すように、親指Ｆ１と人差指Ｆ２とで操作デバイス４を移動し、同時に、同じ人差指Ｆ２で画面２へのタッチ入力（スワイプ）を行わせるようにしても良い。これにより、後述するように、表示領域１３，１４の変更と、少なくとも一方の表示領域１３，１４の縮尺変更とを、同時に行わせることができる。
【００２４】
これに対し、上記した拡張機能を行わずに通常の機能のみで上記と同じ機能を行わせようにすると、図１０に示すように、親指Ｆ１と人差指Ｆ２とで操作デバイス４を移動して（操作Ｃ）表示領域１３，１４の変更を行い、次に、図１１に示すように、親指Ｆ１と人差指Ｆ２とで画面２をピンチアウト（操作Ｄ）して表示領域１３，１４の縮尺変更を行うという二つの異なる操作を別々に分けて行う必要があって煩わしい。よって、前者の操作と後者の操作とは、明らかに異なる操作感になる。
【００２５】
（２）上記において、操作デバイス４の操作と画面２へのタッチ入力とを同時に行った時の拡張機能が、操作デバイス４を単独で操作した時の通常の機能と、当該機能に関連する機能とを組み合わせて同時に行わせるようにしたものとする。
【００２６】
ここで、関連するとは、例えば、機能が階層化されている場合における上位階層の機能と下位階層の機能との関係や、または、連続して操作される可能性が高い二つの機能どうしの関係を有することなどである。
【００２７】
具体的には、例えば、既に上記したように、画面２上に地図５１や画像（例えば、予め記録された各種の画像や、車載カメラなどによって撮影中の画像）などを表示した状態で、操作デバイス４を単独で操作した時の通常の機能が表示領域１３，１４の変更などである場合に、操作デバイス４の操作と画面２へのタッチ入力とを同時に行った時の拡張機能を、表示領域１３，１４の変更と、表示の縮尺変更や画面２のスクロールなどとを組み合わせて同時に行わせるものなどとすることである。
【００２８】
また、例えば、画面２上に楽曲再生中のアルバムを表示した状態で、操作デバイス４を単独で操作した時の通常の機能がアルバムの選択・変更などである場合に、操作デバイス４の操作と画面２へのタッチ入力とを同時に行った時の拡張機能を、アルバムの選択と、アルバム内の楽曲リストの選択とを組み合わせて同時に行わせるものなどとすることである。
【００２９】
但し、通常の機能と関連する機能との組み合わせは、上記に限るものではない。
【００３０】
（３）上記制御部５が、図１２に示すように、上記操作デバイス４の操作が行われた時に、画面２へのタッチ入力によって拡張機能を行わせるための拡張機能用タッチ入力領域５５を、操作デバイス４の周辺に発生させるようにする。
【００３１】
ここで、拡張機能用タッチ入力領域５５は、操作デバイス４の操作中に手を離さずに画面２へのタッチ入力が可能な範囲（指が届く範囲や指で触れることができる位置や範囲内）に形成される。なお、拡張機能用タッチ入力領域５５は、複数設けてそれぞれに異なる機能を持たせるようにしても良い。また、拡張機能用タッチ入力領域５５は、操作デバイス４が操作によって変位するようなものである場合には、操作デバイス４の操作と共に変位されるようにしても良い。
【００３２】
そして、制御部５は、上記のために、図１３のフローチャートに示すような処理を行う。即ち、制御部５は、操作デバイス４を単独で操作した時の通常の機能を行う処理の途中に、以下のようなサブルーチン１（ＳＵＢ１）を実行する。このサブルーチン１では、先ず、ステップ１で、操作デバイス４を操作したかどうかの判断を行う。ステップ１で、操作デバイス４を操作していない場合には、サブルーチン１を終了するか、或いは、所定時間の間ステップ１を繰り返す。ステップ１で、操作デバイス４を操作したという場合には、ステップ２へ進んで拡張機能用タッチ入力領域５５を発生させ、ステップ３へ進む。
【００３３】
ステップ３では、（操作デバイス４を操作中に）画面２（の拡張機能用タッチ入力領域５５）へのタッチ入力が有るかどうかを判断する。ステップ３で画面２へのタッチ入力が無いと判断された場合には、ステップ４で通常の機能を実行する。また、ステップ３で画面２へのタッチ入力が有と判断された場合には、ステップ５で拡張機能を実行する。
【００３４】
（４）更に、上記制御部５が、図１４に示すように、操作デバイス４への接触を検知した時に、画面２に操作案内６１，６２を表示するようにしても良い。
【００３５】
ここで、操作デバイス４への接触とは、操作者が操作デバイス４を操作するために操作デバイス４へ触れることである。これにより、操作デバイス４を実際に操作するよりも前に画面２に操作案内６１，６２を表示して操作を分かり易くすることが可能となる。
【００３６】
操作デバイス４への接触は、例えば、操作デバイス４に接触センサーなどのセンサーを組み込むことによって検知することができる。または、操作デバイス４を導体にしておくことにより、静電容量の変化で、（静電容量式の）タッチパネル３の機能を利用して接触を検知することができる。
【００３７】
操作案内６１，６２（操作ガイド表示）は、例えば、上記した拡張機能用タッチ入力領域５５よりも上側や下側の見易い位置などに対し、図形化または記号化した案内を表示させるようにするのが好ましい。
【００３８】
例えば、図１４の場合、操作案内６１は、操作デバイス４の操作に加えて行う画面２へのタッチ入力がシングルタッチまたはシングルスワイプの時に画面２の拡大機能が行われ、操作案内６２は、操作デバイス４の操作に加えて行う画面２へのタッチ入力がダブルタッチまたはダブルスワイプの時に画面２の縮小機能が行われる、ということを案内するような表示となっている。
【００３９】
そして、制御部５は、上記のために、図１５のフローチャートに示すような処理を行う。即ち、制御部５は、操作デバイス４を単独で操作した時の通常の機能を行う処理の途中に、以下のようなサブルーチン２（ＳＵＢ２）を実行する。このサブルーチン２では、先ず、ステップ１１で、操作デバイス４への接触を検知したかどうかを判断する。ステップ１１で、操作デバイス４への接触を検知していない場合には、サブルーチン２を終了するか、或いは、所定時間の間ステップ１１を繰り返す。ステップ１１で、操作デバイス４への接触を検知した場合には、ステップ１２で操作案内６１，６２を表示し、その後、上記したステップ１を行わせる。
【００４０】
以下、操作デバイス４と拡張機能のためのタッチ入力との具体的な例について説明する。
【００４１】
（５）先ず、図８などによって既に上記したように、上記操作デバイス４が、上記タッチパネル３の画面２上を、一方向に往復移動可能なスライド部材８とされる。
そして、上記操作デバイス４の操作中の画面２へのタッチ入力が、スライド部材８の移動方向に沿ったスワイプとされる。
【００４２】
ここで、スワイプは、スライド部材８の移動に合わせて画面２にタッチした指（例えば、人差指Ｆ２や中指Ｆ３など）を（上下方向１２に）滑らせるものなどとされる。スワイプは、例えば、シングルスワイプとダブルスワイプとで機能を変えるようにすることもできる。
【００４３】
または、図１６および図１７に示すように、ダイヤルスイッチ１７の両側の一対の開口部２１，２２内に、機能の異なる二つの拡張機能用タッチ入力領域５５を発生させて、画面２の開口部２１，２２内の部分にタッチした指をスライド部材８の移動に合わせてスワイプさせるようにしても良い。そして、どちらの開口部２１，２２内でスワイプさせたかによって機能を変えるようにしても良い。
【００４４】
なお、スワイプ以外に、タップ（シングルタップやダブルタップ）などによって上記と同じかまたは上記とは異なる拡張機能が発生されるようにしても良い。
【００４５】
（６）図１８に示すように、上記操作デバイス４が、上記タッチパネル３の画面２上で円運動するダイヤルスイッチ１７を有するものとされる。
そして、上記操作デバイス４の操作中の画面２へのタッチ入力が、ダイヤルスイッチ１７の円運動に沿ったスワイプとされる。
【００４６】
ここで、スワイプは、例えば、親指Ｆ１と人差指Ｆ２とによるダイヤルスイッチ１７の回転に合わせて画面２にタッチした指（例えば、中指Ｆ３など）を円弧状または直線状に滑らせるものなどとされる。
【００４７】
なお、スワイプ以外に、タップ（シングルタップやダブルタップ）などによって上記と同じまたは上記とは異なる拡張機能が発生されるようにしても良い。
【００４８】
（７）図１９に示すように、上記操作デバイス４が、上記タッチパネル３の画面２上で直線的にスライドするスライドスイッチ７１を有するものとされる。
上記操作デバイス４の操作中の画面２へのタッチ入力が、スライドスイッチ７１のスライド方向に沿ったスワイプとされる。
【００４９】
ここで、スライドスイッチ７１は、上記したダイヤルスイッチ１７（および開口部２１，２２）などに替えてスライド部材８に設けることができる。スライドスイッチ７１は、タッチパネル３の画面２上で直線的な往復運動をするものとされる。スライドスイッチ７１の裏面側には、導電性の接点部材が少なくとも１個設けられる。
【００５０】
また、スワイプは、例えば、親指Ｆ１と人差指Ｆ２とによるスライドスイッチ７１の移動に合わせて画面２にタッチした指（例えば、中指Ｆ３など）を直線状に滑らせるものなどとされる。
【００５１】
なお、スワイプ以外に、タップ（シングルタップやダブルタップ）などによって上記と同じまたは上記とは異なる拡張機能が発生されるようにしても良い。
【００５２】
（８）図２０、図２１に示すように、上記操作デバイス４が、上記タッチパネル３の画面２を押し込む押ボタンスイッチ７２を有するものとされる。
上記操作デバイス４の操作中の画面２へのタッチ入力が、タップ（図２０）またはスワイプ（図２１）とされる。
【００５３】
ここで、押ボタンスイッチ７２は、上記したダイヤルスイッチ１７などに替えてスライド部材８に設けることができる。押ボタンスイッチ７２は、タッチパネル３の画面２を面直方向などに押圧するものとされる。押ボタンスイッチ７２の裏面側には、タッチパネル３の画面２に対して近接離反動する導電性の接点部材３２が少なくとも１個設けられる。
【００５４】
また、タップまたはスワイプは、例えば、人差指Ｆ２による押ボタンスイッチ７２の押圧に合わせて画面２に指をタッチ（シングルタップやダブルタップ、または、シングルスワイプやダブルスワイプなど）するものなどとされる。
【００５５】
（９）図２２に示すように、上記操作デバイス４が、二方向への操作を行い得るように上記タッチパネル３の画面２を押し込むロッカースイッチ７４またはトグルスイッチを有するものとされる。
上記操作デバイス４の操作中の画面２へのタッチ入力が、タップとされる。
【００５６】
ここで、ロッカースイッチ７４またはトグルスイッチは、上記したダイヤルスイッチ１７などに替えてスライド部材８に設けることができる。ロッカースイッチ７４またはトグルスイッチは、スイッチボタンやスイッチレバーなどの傾動によってタッチパネル３の画面２上の二点のうちの一点を交互に押圧するものとされる。ロッカースイッチ７４の裏面側には、タッチパネル３の画面２に対して交互に近接離反動する導電性の接点部材が少なくとも２個設けられる。
【００５７】
なお、タップ以外に、スワイプ（シングルスワイプやダブルスワイプ）などによって上記と同じまたは上記とは異なる拡張機能が発生されるようにしても良い。
【００５８】
（１０）図２３に示すように、上記操作デバイス４が、多方向への操作を行い得るように上記タッチパネル３の画面２を押し込む十字スイッチ７６またはジョイスティックスイッチを有するものとされる。
上記操作デバイス４の操作中の画面２へのタッチ入力が、タップとされる。
【００５９】
ここで、十字スイッチ７６またはジョイスティックスイッチは、上記したダイヤルスイッチ１７などに替えてスライド部材８に設けることができる。十字スイッチ７６またはジョイスティックスイッチは、操作ボタンや操作レバーなどの傾動方向に応じた操作入力を発生させるものである。十字スイッチ７６の裏面側には、少なくとも４個の導電性の接点部材３２が設けられる。
【００６０】
なお、タップ以外に、スワイプ（シングルスワイプやダブルスワイプ）などによって上記と同じまたは上記とは異なる拡張機能が発生されるようにしても良い。
【００６１】
＜作用効果＞この実施例によれば、以下のような作用効果を得ることができる。
【００６２】
タッチパネル３は、画面２に情報を表示する表示装置としての機能を有している。タッチパネル３は、また、画面２に表示された情報をタッチすることによって入力（タッチ入力）が可能な入力装置としての機能を有している。しかし、タッチパネル３は、画面２が平面的であるため、現実的な操作感（操作実感）に乏しい。そこで、タッチパネル３の画面２上に、タッチパネル３のタッチ入力機能を利用して入力を行わせるようにした操作デバイス４を設置する。これにより、操作デバイス４に触れて操作デバイス４を実際に操作することによる、リアルな操作感を得ることが可能となる。
【００６３】
この際、制御部５は、タッチパネル３へのタッチ入力があった時には、タッチ入力に応じた機能を行わせる。また、制御部５は、操作デバイス４を単独で操作した時には、操作デバイス４の操作に対応した通常の機能を行わせるようになっている。
【００６４】
ここで、操作デバイス４は単機能が基本であり、また、タッチパネル３の画面２上に多くの操作デバイス４を設置すると、画面２の表示領域１３，１４が狭くなったり、画面２上が操作デバイス４で雑然としてしまい取り扱いが難しくなったりするので、限られた数の操作デバイス４のみを設置するように抑えられている。そのため、操作デバイス４によって得られる機能は限られたものとなっていた。よって、操作デバイス４はまだ十分に活用されているとは言えないのが現状であり、その操作性についてもまだ改善の余地がある。
【００６５】
（作用効果１）そこで、制御部５によって、操作デバイス４の操作と画面２へのタッチ入力（例えば、シングルタップやダブルタップ、または、シングルスワイプやダブルスワイプなど）とが同時に行われた時に、操作デバイス４を単独で操作した時の通常の機能とは異なる別の拡張機能を行わせ得るようにした。
【００６６】
これによって、一つの操作デバイス４に、実質的に二種類またはそれ以上の機能を割り当てることが可能となり、操作デバイス４の数を増やさずに、操作デバイス４の数を増やしたのと同じ効果を得ることができる。そして、操作者は、操作デバイス４を単独で操作するか、または、操作デバイス４の操作中に画面２を同時にタッチ入力するか、のいずれかを行うだけで、二種類の機能のうちのどちらか一方を選択的に実行することができる。しかも、上記した機能の選択は、指の使い方をほんの僅かに変えるだけでできるので簡単であり、感覚的にも分かり易いので、操作者に特に負担が掛かることはない。その結果、操作デバイス４を有効活用し、且つ、操作デバイス４の操作性を向上することができる。よって、操作デバイス４を多機能化して十分に活用することができる。
【００６７】
（作用効果２）拡張機能を、互いに関連性の有る二つの機能を組み合わせて同時に行うものとした。これにより、拡張機能を選択することで、関連する二つの機能を一度の操作で同時に実行することが可能となる。そのため、二つの機能を一つずつ順番に実行して行く場合と比べて操作手順が半分になり、煩わしい操作をなくして操作性を向上することができる。
【００６８】
また、関連する二つの機能を組み合わせたものとすることにより、拡張機能を分かり易く、有用な機能とすることができる。
【００６９】
（作用効果３）制御部５が、上記操作デバイス４の操作が行われた時に、画面２へのタッチ入力拡張機能を行わせるための拡張機能用タッチ入力領域５５を、操作デバイス４の周辺に発生させるようにした。これにより、操作デバイス４の操作と同時に、制御部５によって画面２に発生された拡張機能用タッチ入力領域５５へのタッチ入力を行うことで、拡張機能が実行されるようにすることができる。よって、誤作動なく確実に拡張機能を行わせることができる。また、拡張機能用タッチ入力領域５５を２つ以上設けるようにすれば、同時に操作できる拡張機能の数を複数に増やすことが可能となる。
【００７０】
（作用効果４）制御部５が、操作デバイス４への接触を検知した時に、画面２に操作案内６１，６２を表示するようにした。これにより、拡張機能を行うための操作を覚える必要をなくすことができる。その結果、拡張機能を行うための操作が複雑になったとしても分かり易くして、実際に使うことのできる機能にすることができる。
【００７１】
（作用効果５）スライド部材８は、例えば、タッチパネル３の画面２の一対の対辺間を横切るものとされる。これにより、タッチパネル３の画面２を２つに仕切ることができる。そして、スライド部材８を上記した一対の対辺に沿ってスライドさせることによって２つに仕切られたタッチパネル３の画面２の表示領域１３，１４を変更することができる。更に、スライド部材８の操作と、画面２のスワイプとを一緒に行うことにより、表示領域１３，１４の変更と、少なくとも一方の表示領域１３，１４の縮尺変更とを、同時に行わせることができる。この際、例えば、１本指でスワイプを行うことで拡大、２本指でスワイプを行うことで縮小などを行わせることができる。
【００７２】
（作用効果６）例えば、ダイヤルスイッチ１７は、回すことでメニューの切り替えを行うことができる。そして、画面２のスワイプを併せて行うことにより、メニューの切り替えと同時にサブメニューの選択を行うなどの二つの階層に跨る操作を一度に行うことが可能となる。
【００７３】
また、例えば、ダイヤルスイッチ１７は、回すことで楽曲再生用のアルバムの選択・変更を行うことができる。そして、ダイヤルスイッチ１７の操作と、画面２のスワイプとを併せて行うことにより、アルバムの選択・変更と同時にアルバム内の楽曲リストの選択を行うなどの、二つの階層に跨る操作を一度に行うことが可能となる。
【００７４】
（作用効果７）例えば、スライドスイッチ７１は、スライドさせることでメニューの切り替えを行うことができる。そして、画面２のスワイプを併せて行うことにより、メニューの切り替えと同時にサブメニューの選択を行うなどの二つの階層に跨る操作を一度に行うことが可能となる。
【００７５】
また、例えば、スライドスイッチ７１は、スライドさせることで楽曲再生用のアルバムの選択・変更を行うことができる。そして、スライドスイッチ７１の操作と、画面２のスワイプとを併せて行うことにより、アルバムの選択・変更と同時にアルバム内の楽曲リストの選択を行うなどの、二つの階層に跨る操作を一度に行うことが可能となる。
【００７６】
（作用効果８）例えば、押ボタンスイッチ７２は、押し込むことでコマンドの実行入力などを行うことができる。そして、押ボタンスイッチ７２の操作と、画面２のタップまたはスワイプとを併せて行うことにより、コマンドの実行入力と同時にコマンド実行に対する確認入力を行うなどの、二つの階層に跨る操作を一度に行うことが可能となる。
【００７７】
（作用効果９）例えば、ロッカースイッチ７４またはトグルスイッチは、二方向のどちらかに倒すことでコマンドの選択入力などを行うことができる。そして、ロッカースイッチ７４またはトグルスイッチの操作と、画面２のタップまたはスワイプとを併せて行うことにより、コマンドの選択入力と同時にコマンド選択に対する確認入力を行うなどの、二つの階層に跨る操作を一度に行うことが可能となる。
【００７８】
（作用効果１０）例えば、十字スイッチ７６またはジョイスティックスイッチは、多方向のいずれかに操作することで画面２のスクロールを行うことができる。そして、十字スイッチ７６またはジョイスティックスイッチと、画面２のタップまたはスワイプとを併せて行うことにより、画面２のスクロールと同時にスクロールした位置に応じたイベントの発生を行わせるなどの、二つの階層に跨る操作を一度に行うことが可能となる。
【００７９】
以上、実施例を図面により詳述してきたが、実施例は例示にしか過ぎないものである。よって、実施例の構成にのみ限定されるものではなく、要旨を逸脱しない範囲の設計の変更等があっても含まれることは勿論である。また、例えば、各実施例に複数の構成が含まれている場合には、特に記載がなくとも、これらの構成の可能な組合せが含まれることは勿論である。また、複数の実施例や変形例が開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００８０】
２    画面（表示部）
３    タッチパネル
４    操作デバイス
５    制御部
６    入力表示装置
８    スライド部材
１７  ダイヤルスイッチ
５５  拡張機能用タッチ入力領域
６１  操作案内
６２  操作案内
７１  スライドスイッチ
７２  押ボタンスイッチ
７４  ロッカースイッチ
７６  十字スイッチ
【図１】
0006481156.tif 000002
【図２】
0006481156.tif 000003
【図３】
0006481156.tif 000004
【図４】
0006481156.tif 000005
【図５】
0006481156.tif 000006
【図６】
0006481156.tif 000007
【図７】
0006481156.tif 000008
【図８】
0006481156.tif 000009
【図９】
0006481156.tif 000010
【図１０】
0006481156.tif 000011
【図１１】
0006481156.tif 000012
【図１２】
0006481156.tif 000013
【図１３】
0006481156.tif 000014
【図１４】
0006481156.tif 000015
【図１５】
0006481156.tif 000016
【図１６】
0006481156.tif 000017
【図１７】
0006481156.tif 000018
【図１８】
0006481156.tif 000019
【図１９】
0006481156.tif 000020
【図２０】
0006481156.tif 000021
【図２１】
0006481156.tif 000022
【図２２】
0006481156.tif 000023
【図２３】
0006481156.tif 000024